(57)【特許請求の範囲】
【請求項１】
撮像素子の感度を示すＩＳＯ値を変更する操作手段と、
前記ＩＳＯ値の複数の設定範囲の中から所定の設定範囲を選択する選択手段と、
前記選択手段により何れの設定範囲が選択された場合においても、前記操作手段の操作に応じて該選択された設定範囲内においてＩＳＯ値を設定する設定手段と、
を有することを特徴とするデジタルカメラ。
【請求項２】
前記操作手段は、ダイヤルにより構成されていることを特徴とする請求項１に記載のデジタルカメラ。
【請求項３】
前記選択手段は、ボタンスイッチにより構成され、該ボタンスイッチの押下の有無、或いは連続押下回数に基づいて前記設定範囲を選択することを特徴とする請求項１又は２に記載のデジタルカメラ。
【請求項４】
前記設定手段は、前記所定の設定範囲以外の範囲にＩＳＯ値を設定した場合に警告を発する警告手段を有することを特徴とする請求項１〜３の何れかに記載のデジタルカメラ。
【請求項５】
前記所定の設定範囲は、安定した画質の画像が得られるものとして定義された常用の設定範囲であることを特徴とする請求項１〜４の何れかに記載のデジタルカメラ。
【請求項６】
前記警告手段は、前記設定手段により前記所定の設定範囲以外の範囲にＩＳＯ値が設定された場合には、該所定の設定範囲にＩＳＯ値が設定された場合とは異なる表示形態でＩＳＯ値の設定状況を表示することにより警告を発することを特徴とする請求項４に記載のデジタルカメラ。
【請求項７】
撮像素子の感度を示すＩＳＯ値を変更する操作手段と、前記ＩＳＯ値の複数の設定範囲の中から所定の設定範囲を選択する選択手段とを有するデジタルカメラの制御方法であって、
前記選択手段により何れの設定範囲が選択された場合においても、前記操作手段の操作に応じて該選択された設定範囲内においてＩＳＯ値を設定する設定工程を有することを特徴とするデジタルカメラの制御方法。
【請求項８】
前記操作手段は、ダイヤルにより構成されていることを特徴とする請求項７に記載のデジタルカメラの制御方法。
【請求項９】
前記選択手段は、ボタンスイッチにより構成され、該ボタンスイッチの押下の有無、或いは連続押下回数に基づいて前記設定範囲を選択することを特徴とする請求項７又は８に記載のデジタルカメラの制御方法。
【請求項１０】
前記設定工程は、前記所定の設定範囲以外の範囲にＩＳＯ値を設定した場合に警告を発する警告工程を含むことを特徴とする請求項７〜９の何れかに記載のデジタルカメラの制御方法。
【請求項１１】
前記所定の設定範囲は、安定した画質の画像が得られるものとして定義された常用の設定範囲であることを特徴とする請求項７〜１０の何れかに記載のデジタルカメラの制御方法。
【請求項１２】
前記警告工程は、前記設定工程により前記所定の設定範囲以外の範囲にＩＳＯ値が設定された場合には、該所定の設定範囲にＩＳＯ値が設定された場合とは異なる表示形態でＩＳＯ値の設定状況を表示することにより警告を発することを特徴とする請求項１０に記載のデジタルカメラの制御方法。
【請求項１３】
撮像素子の感度を示すＩＳＯ値を変更する操作手段と、前記ＩＳＯ値の複数の設定範囲の中から所定の設定範囲を選択する選択手段とを有するデジタルカメラにより実行される制御プログラムであって、
前記選択手段により何れの設定範囲が選択された場合においても、前記操作手段の操作に応じて該選択された設定範囲内においてＩＳＯ値を設定する内容を有することを特徴とする制御プログラム。
【請求項１４】
請求項１３に記載の制御プログラムをコンピュータ読取可能に保持することを特徴とする媒体。
【発明の詳細な説明】
【０００１】
【発明の属する技術分野】
本発明は、撮像素子の感度を示すＩＳＯ値の設定技術に関する。
【０００２】
【従来の技術】
従来、デジタルカメラでは、ＩＳＯ値により撮像素子のゲイン（感度）を変えているが、ゲインの範囲は、安定した画像を得られる範囲に設定される。また、デジタルカメラによっては、ユーザのために、前記ゲインの範囲を越えたゲイン（ＩＳＯ値）を設定可能にしている。その設定操作は、常用範囲のＩＳＯ値はＩＳＯ設定手段により行い、常用範囲外のＩＳＯ値を設定する場合は、別の設定手段で行っていた。
【０００３】
【発明が解決しようとする課題】
このため、例えば、常用範囲のＩＳＯ値をＩＳＯ２００〜１６００、常用範囲外のＩＳＯ値をＩＳＯ３２００とした場合、ＩＳＯ値を４００→３２００→８００と変えて撮影したいときは、ＩＳＯ値４００で撮影する際は、例えば所定のボタンを操作して常用範囲のＩＳＯ設定モードを設定し、所定のダイヤルによりＩＳＯ値４００を設定して撮影する。
【０００４】
そして、ＩＳＯ値３２００に変更して撮影する際は、メニュー選択操作により常用範囲外のＩＳＯ設定モードを選択して、常用範囲外の複数のＩＳＯ値を表示させ、その表示された常用範囲外の複数のＩＳＯ値の中から所望のＩＳＯ値３２００を選択して撮影する。
【０００５】
次に、ＩＳＯ値８００に変更して撮影する際は、メニュー選択操作によりＩＳＯ値３２００の設定を解除した後に、所定のボタンを操作して常用範囲のＩＳＯ設定モードを設定し、所定のダイヤルによりＩＳＯ値８００を設定して撮影する。
【０００６】
このように、従来は、常用範囲の内外へのＩＳＯ値の設定操作が煩雑であり、不便であった。
【０００７】
本発明は、このような従来技術の問題点に鑑みてなされたもので、その課題は、ＩＳＯ値を常用範囲の内外を問わず簡単に設定できるようにすることにある。
【０００８】
【課題を解決するための手段】
上記課題を解決するため、本発明は、撮像素子の感度を示すＩＳＯ値を変更する操作手段と、前記ＩＳＯ値の複数の設定範囲の中から所定の設定範囲を選択する選択手段と、前記選択手段により何れの設定範囲が選択された場合においても、前記操作手段の操作に応じて該選択された設定範囲内においてＩＳＯ値を設定する設定手段とを有している。
【０００９】
また、本発明は、撮像素子の感度を示すＩＳＯ値を変更する操作手段と、前記ＩＳＯ値の複数の設定範囲の中から所定の設定範囲を選択する選択手段とを有するデジタルカメラの制御方法であって、前記選択手段により何れの設定範囲が選択された場合においても、前記操作手段の操作に応じて該選択された設定範囲内においてＩＳＯ値を設定する設定工程を有している。
【００１０】
また、本発明は、撮像素子の感度を示すＩＳＯ値を変更する操作手段と、前記ＩＳＯ値の複数の設定範囲の中から所定の設定範囲を選択する選択手段とを有するデジタルカメラにより実行される制御プログラムであって、前記選択手段により何れの設定範囲が選択された場合においても、前記操作手段の操作に応じて該選択された設定範囲内においてＩＳＯ値を設定する内容を有している。
【００１１】
【発明の実施の形態】
以下、本発明の実施の形態を図面に基づいて説明する。
【００１２】
図１は、本発明を適用したデジタルカメラの概略構成を示すブロック図である。
【００１３】
図１において、１はシステム制御部であり、後述する撮像部制御回路３、メモリ制御部６、モータ制御回路１０、シャッター制御回路１１、測光回路１２、焦点検出回路１３、液晶表示制御部１４、画像表示制御部１５、操作制御部１６と通信を行い、システム全体の制御を行っている。
【００１４】
すなわち、システム制御部１は、ＣＰＵ１ａ、ＲＯＭ１ｂ、ＲＡＭ１ｃを有し、ＣＰＵ１ａは、ＲＯＭ１ｂに格納された図４〜１０のフローチャートに対応するプログラム等を実行することにより、各種の撮影処理を行う。この際、ＣＰＵ１ａは、ＲＡＭ１ｃをワークエリア等として利用する。
【００１５】
２は撮像部であり、撮像素子（ＣＣＤ等）等の撮像に関するモジュール群である。３は撮像部制御回路であり、撮像素子（ＣＣＤ等）の駆動等の制御を行う。４は撮像部２で撮影された画像データを一時的に記憶する前バッファメモリである。５は前バッファメモリに格納された画像データに対して所定の画像処理を行う画像処理部である。７は画像処理部５で処理された画像データを蓄積する後バッファメモリである。
【００１６】
６は前バッファメモリ４と後バッファメモリ７とハードディスク９を制御するメモリ制御部である。８は画像処理後の画像データを後バッファメモリ７からハードディスク９に記憶させるためのインターフェース（Ｉ／Ｆ）である。
【００１７】
９は画像データを保存するハードディスクである。
【００１８】
１０は不図示のミラーやシャッターをチャージ等するためのモータを駆動するモータ制御回路である。１１はシステム制御部１からの信号に従って、不図示のシャッターの先幕やシャッターの後幕を走行させ、撮像素子に被写体からの光を露光させるシャッター制御回路である。１２は不図示の測光センサからの出力をシステム制御部１に出力する測光回路である。
【００１９】
１３は不図示のフォーカス検出用センサによるフォーカス用の画像信号の蓄積制御、読出制御を行って、フォーカス用の画像信号をシステム制御部１に出力する焦点検出回路である。システム制御部１は、周知の位相差検出方法により焦点検出を行い、脱着可能なレンズの内部に設けられたレンズ制御回路１７と通信を行ってレンズを駆動させることにより、焦点調節を行う。
【００２０】
１４はカメラのシャッター秒時、絞り値、ＩＳＯ値、ＩＳＯブラケットのステップ値等の設定表示制御やカメラの各種情報を表示制御する液晶表示制御部であり、図２の上面表示パネル１０４や図３の背面表示パネル１１７の表示内容を制御している。１５は撮影された画像データを表示するための画像表示制御部であり、画像データの他にも液晶表示部である上面表示パネル１０４、背面表示パネル１１７で表示されないカメラ情報等の表示制御を行い、図３のＴＦＴ表示部１１６の表示内容を制御している。
【００２１】
１６は図２及び図３に示した各種ボタン（ボタンスイッチ）、ダイヤルの操作状況を検出して操作信号をシステム制御部１に入力する操作制御部である。１７は不図示の脱着可能なレンズの内部に設けられたレンズ制御回路であり、システム制御部１からの指示に従って、焦点調節のためのレンズ駆動や絞り駆動を行う。
【００２２】
図２に示したように、本デジタルカメラの上面には、撮影モード選択ボタン１０１、ＡＦモード選択ボタン１０２、測光モード選択ボタン１０３、上面表示パネル１０４、露出補正ボタン１０５、メイン電子ダイヤル１０６、シャッターボタン１０７、ＦＥロックボタン１０８、及び表示パネル照明ボタン１０９が設けられている。
【００２３】
なお、メイン電子ダイヤル１０６、及び後述のサブ電子ダイヤル１２７は、位相差検出タイプであり、ダイヤルの回転数と回転方向が判る仕組みとなっている。また、シャッターボタン１０７には、２段階のストロークスイッチが設けられ、第１ストロークで測光／ＡＦ開始スイッチがオンされて測光とＡＦが開始され、第２ストロークで撮影操作スイッチがオンされて撮影動作が開始される。
【００２４】
また、図３に示したように、本デジタルカメラの背面には、視度調節つまみ１１０、ＭＥＮＵボタン１１１、ＳＥＬＥＣＴボタン１１２、音声／プロテクトボタン１１３、ＤＩＳＰボタン１１４、ＥＲＡＳＥボタン１１５、ＴＦＴ（Ｔｈｉｎ  Ｆｉｌｍ  Ｔｒａｎｓｉｓｔｏｒ）表示部１１６、背面表示パネル１１７、ＱＵＡＬＩＴＹボタン１１８、ＷＢボタン１１９、マイク１２０、メインスイッチ１２１、縦位置用アシストボタン１２２、縦位置用ＡＦフレーム選択ボタン１２３、縦位置用ＡＥロックボタン１２４、ＣＦアクセスボタン１２５、ＣＦ蓋開閉つまみ１２６、サブ電子ダイヤル１２７、サブ電子ダイヤルスイッチ１２８、ＡＦフレーム選択ボタン１２９、ＡＥロックボタン１３０、アシストボタン１３１、及びアイピースシャッタレバー１３２が設けられている。
【００２５】
次に、本デジタルカメラの動作を図４〜１０のフローチャートに基づいて説明する。
【００２６】
メインスイッチ１２１がオンされると、システム制御部１のＣＰＵ１ａは、ＲＯＭ１ｂに格納されたプログラムに基づいて、先ず、レジスタの初期化やデータの初期化、及び周辺回路の初期化等の初期設定を行う（図４のステップＳ１）。
【００２７】
次に、ＣＰＵ１ａは、ステップＳ２において、図２及び、図３に示す各種の設定ボタンや撮影操作ボタン、メイン電子ダイヤル１０６、サブ電子ダイヤル１２７等の操作信号を操作制御部１６から取得する。そして、ステップＳ３において、撮影モード選択ボタン１０１、ＡＦモード選択ボタン１０２、測光モード選択ボタン１０３、ＭＥＮＵボタン１１１、ＳＥＬＥＣＴボタン１１２等の設定ボタンが操作されていれば、各種設定を行う設定モードへ移行し（ステップＳ４）、設定ボタンが操作されていなければ、ステップＳ５へ移行する。なお、設定モード時の動作の詳細は、後で図５，６のフローチャートに基づいて説明する。
【００２８】
ステップＳ５では、測光／ＡＦ開始スイッチがオフであるか否かを判別する。測光／ＡＦ開始スイッチがオフであれば、ステップＳ１３へ移行し、本デジタルカメラの動作を終了させるために、周辺回路への電源オフの指示やデータの退避等の終了設定を行い、動作を終了する。
【００２９】
一方、測光／ＡＦ開始スイッチがオンであれば、ステップＳ６に移行し、シャッター秒時（ＣＣＤ蓄積時間）、絞り値等を決定するための測光演算処理を行う。そして、被写体に焦点を合わせるために、周知の位相差検出方式による測距動作を行い（ステップＳ７）、前記測距データに基づいてレンズを駆動して被写体に焦点を合わせる（ステップＳ８）。
【００３０】
次に、ステップＳ９に移行し、測光演算等により求められたシャッター秒時、絞り値等、カメラの情報を表示パネル１０４に表示する。そして、ステップＳ１０に移行し、撮影操作スイッチがオンであるか否かを判別する。その結果、撮影操作スイッチがオンであれば、ステップＳ１１へ移行し、周知であるＣＣＤのゲイン設定、ＣＣＤの電荷蓄積動作、ＣＣＤの電荷読出し、画像処理、画像書込み等の撮影動作を行って、ステップＳ１２に移行する。撮影操作スイッチがオフであれば、ステップＳ１１をスキップしてステップＳ１２に移行する。
【００３１】
ステップＳ１２では、測光／ＡＦ開始スイッチがオンであるか否かを判別する。測光／ＡＦ開始スイッチがオンであれば、ステップＳ２へ戻り、オフであれば、ステップＳ１３へ移行する。ステップＳ１３では、カメラの動作を終了させるために、周辺回路への電源オフの指示やデータの退避等の終了設定を行い、動作を終了する。
【００３２】
次に、図４のステップＳ４における設定モード時の動作を、図５のフローチャートに基づいて詳細に説明する。
【００３３】
図５のステップＳ１０１において、ＭＥＮＵボタン１１１が操作されているか否かを判別し、ＭＥＮＵボタン１１１が操作されていれば、ステップＳ１０２に移行してＭＥＮＵボタン関連処理、例えばＴＦＴ表示部１１６に本デジタルカメラの各種情報を表示するためのメニュー画面を表示する等の処理を行い、図４のメインルーチンにリターンする。ＭＥＮＵボタン１１１が操作されていなければ、ステップＳ１０３へ移行する。
【００３４】
ステップＳ１０３では、ＳＥＬＥＣＴボタン１１２が操作されているか否かを判別し、ＳＥＬＥＣＴボタン１１２が操作されていれば、ステップＳ１０４に移行してＳＥＬＥＣＴボタン関連処理を行いリターンする。ＳＥＬＥＣＴボタン１１２が操作されていなければ、ステップＳ１０５へ移行する。
【００３５】
ステップＳ１０５では、音声／プロテクトボタン１１３が操作されているか否かを判別する。音声／プロテクトボタン１１３が操作されていれば、ステップＳ１０６に移行し、音声／プロテクトボタン関連処理、例えば画像が表示されている場合には音声の入力処理を行い、図４のメインルーチンにリターンする。音声／プロテクトボタン１１３が操作されていなければ、ステップＳ１０７へ移行する。
【００３６】
ステップＳ１０７では、ＤＩＳＰボタン１１４が操作されているか否かを判別し、ＤＩＳＰボタン１１４が操作されていれば、ステップＳ１０８に移行しＤＩＳＰボタン関連処理、例えば撮影画像を表示し図４のメインルーチンにリターンする。ＤＩＳＰボタン１１４が操作されていなければ、ステップＳ１０９へ移行する。
【００３７】
ステップＳ１０９では、ＥＲＡＳＥボタン１１５が操作されているか否かを判別し、ＥＲＡＳＥボタン１１５が操作されていれば、ステップＳ１１０に移行しＥＲＡＳＥボタン関連処理、例えば撮影画像が表示されていれば、画像の消去処理を行いリターンする。ＥＲＡＳＥボタン１１５が操作されていなければ、ステップＳ１１１へ移行する。
【００３８】
ステップＳ１１１において、ＱＵＡＬＩＴＹボタン１１８が操作されているか否かを判別し、ＱＵＡＬＩＴＹボタン１１８が操作されていれば、ステップＳ１１２に移行しＱＵＡＬＩＴＹボタン関連処理、例えば撮影画像画質設定処理を行い図４のメインルーチンにリターンする。ＱＵＡＬＩＴＹボタン１１８が操作されていなければ、ステップＳ１１３へ移行する。
【００３９】
ステップＳ１１３において、ＷＢボタン１１９が操作されているか否かを判別し、ＷＢボタン１１９が操作されていれば、ステップＳ１１４に移行しＷＢボタン関連処理、例えば撮影画像のホワイトバランス設定処理を行い図４のメインルーチンにリターンする。ＷＢボタン１１９が操作されていなければ、ステップＳ１１５へ移行する。
【００４０】
ステップＳ１１５において、ＡＦフレーム選択ボタン１２９が操作されているか否かを判別し、ＡＦフレーム選択ボタン１２９が操作されていれば、ステップＳ１１６に移行しＡＦフレーム選択ボタン関連処理、例えばＡＦ（オートフォーカスリターン）するエリアを選択する処理を行い図４のメインルーチンにリターンする。ＡＦフレーム選択ボタン１２９が操作されていなければ、ステップＳ１１７へ移行する。
【００４１】
ステップＳ１１７では、露出補正ボタン１０５が操作されているか否かを判別し、露出補正ボタン１０５が操作されていれば、ステップＳ１１８に移行し、露出補正ボタン関連処理、例えば露出補正量の設定処理を行い、図４のメインルーチンにリターンする。露出補正ボタン１０５が操作されていなければ、ステップＳ１１９へ移行する。
【００４２】
ステップＳ１１９では、測光モード選択ボタン１０３が操作されているか否かを判別し、測光モード選択ボタン１０３が操作されていれば、ステップＳ１２０に移行し、測光モード選択ボタン関連処理、例えば多分割測光、部分測光等の測光モードの設定処理等を行い、図４のメインルーチンにリターンする。測光モード選択ボタン１０３が操作されていなければ、ステップＳ１２１へ移行する。
【００４３】
ステップＳ１２１では、ＡＦモード選択ボタン１０２が操作されているか否かを判別し、ＡＦモード選択ボタン１０２が操作されていれば、ステップＳ１２２に移行し、ＡＦモード選択ボタン関連処理、例えばワンショット又は、サーボのＡＦ駆動モードの選択を行い、図４のメインルーチンにリターンする。ＡＦモード選択ボタン１０２が操作されていなければ、ステップＳ１２３へ移行する。
【００４４】
ステップＳ１２３では、撮影モード選択ボタン１０１が操作されているか否かを判別し、撮影モード選択ボタン１０１が操作されていれば、ステップＳ１２４に移行し、撮影モード選択ボタン関連処理、例えばシャッター優先モード、バルブモード等の各種撮影モードの選択処理を行い、図４のメインルーチンにリターンする。撮影モード選択ボタン１０１が操作されていなければ、ステップＳ１２４をスキップして、図４のメインルーチンにリターンする。
【００４５】
次に、図６のステップＳ１２０における測光モード選択ボタン関連処理を、図７のフローチャートに基づいて詳細に説明する。
【００４６】
図７のステップＳ２０１において、ＡＦモード選択ボタン１０２が非操作であるか否かを判別する。ＡＦモード選択ボタン１０２が非操作であれば、ステップＳ２０２へ移行し、多分割測光、部分測光等の測光モードの設定処理等を行い、図５，６のサブルーチンにリターンする。
【００４７】
一方、ＡＦモード選択ボタン１０２が操作されていれば、すなわち、測光モード選択ボタン１０３、ＡＦモード選択ボタン１０２に係るスイッチが両方ともＯＮされていれば、ステップＳ２０３へ移行し、ＩＳＯ設定処理を行い、図５，６のサブルーチンにリターンする。
【００４８】
次に、このＩＳＯ設定処理の詳細を、図８，９のフローチャートに基づいて説明する。
【００４９】
図８のステップＳ３０１において、図４のステップＳ２で得られるメイン電子ダイヤル１０６のカウント値を、ＲＡＭ１ｃに形成された変数Ｍ＿Ｄ＿ＣＯＵＮＴに格納する。なお、メイン電子ダイヤル１０６のカウントデータは、本実施形態では、１バイトの符号付きデータとなっており、符号によりダイヤルの回転方向を知ることができる。
【００５０】
ステップＳ３０２において、変数Ｍ＿Ｄ＿ＣＯＵＮＴの値が「０」であるか否かを判別する。変数Ｍ＿Ｄ＿ＣＯＵＮＴの値が「０」でなければ、ステップＳ３０３に移行し、「０」であれば、ステップＳ３０９に移行し、ＩＳＯ値の最大値／最小値処理を行う。
【００５１】
ステップＳ３０３では、変数Ｍ＿Ｄ＿ＣＯＵＮＴの値が「０」より大きいか否かを判別する。「０」より大きければ、ステップＳ３０４に移行し、「０」より大きくなければ、ステップＳ３０６に移行する。ステップＳ３０４では、現在設定されているＩＳＯ値を１／３段だけアップし、次のステップＳ３０５において、変数Ｍ＿Ｄ＿ＣＯＵＮＴのカウント値を「１」だけマイナスする。そして、ステップＳ３０８に移行して、ＩＳＯ値の最大値／最小値処理を行い、ステップＳ３０２へ戻る。なお、ステップＳ３０８，Ｓ３０９におけるＩＳＯ値の最大値／最小値処理の詳細は、後で図１０のフローチャートに基づいて説明する。
【００５２】
ステップＳ３０６では、現在設定されているＩＳＯ値を１／３段だけダウンし、次のステップＳ３０７において、変数Ｍ＿Ｄ＿ＣＯＵＮＴの値を「１」だけプラスする。そしてし、ステップＳ３０８に移行し、ＩＳＯ値の最大値／最小値処理を行い、ステップＳ３０２へ戻る。
【００５３】
ここで、ステップＳ３０８，Ｓ３０９におけるＩＳＯ値の最大値／最小値処理を、図１０のフローチャートに基づいて詳細に説明する。
【００５４】
図１０のステップＳ４０１において、アシストボタン１３１がオンであるか否かを判別する。アシストボタン１３１がオンであれば、ステップＳ４０２へ移行し、アシストボタン１３１がオフであれば、ステップＳ４０６へ移行する。
【００５５】
ステップＳ４０２では、設定ＩＳＯ値が「２０００」より大きいか否かを判別する。設定ＩＳＯ値が「２０００」より大きければ、ステップＳ４０３へ移行し、設定ＩＳＯ値を「２０００」にして、図８，９のＩＳＯ設定処理にリターンする。設定ＩＳＯ値が「２０００」より大きくなければ、ステップＳ４０４へ移行する。
【００５６】
ステップＳ４０４では、設定ＩＳＯ値が「１６０」より小さいか否かを判別する。設定ＩＳＯ値が「１６０」より小さければ、ステップＳ４０５へ移行し、設定ＩＳＯ値を「１６０」にして、図８，９のＩＳＯ設定処理にリターンする。設定ＩＳＯ値が「１６０」より小さくなければ、ステップ４０５をスキップして、図８，９のＩＳＯ設定処理にリターンする。
【００５７】
ステップＳ４０６では、設定ＩＳＯ値が「１６００」より大きいか否かを判別する。設定ＩＳＯ値が「１６００」より大きければ、ステップＳ４０７へ移行し、設定ＩＳＯ値を「１６００」にして、図８，９のＩＳＯ設定処理にリターンする。設定ＩＳＯ値が「１６００」より大きくなければ、ステップＳ４０８へ移行する。
【００５８】
ステップＳ４０８では、設定ＩＳＯ値が「２００」より小さいか否かを判別する。設定ＩＳＯ値が「２００」より小さければ、ステップＳ４０９へ移行し、設定ＩＳＯ値を「２００」にして、図８，９のＩＳＯ設定処理にリターンする。設定ＩＳＯ値が「２００」より小さくなければ、ステップ４０９をスキップして、図８，９のＩＳＯ設定処理にリターンする。
【００５９】
すなわち、ＩＳＯ値の最大／最小処理では、アシストボタン１３１が押されていれば、ＩＳＯ値の最小は「１６０」、最大は「２０００」となり、アシストボタン１３１が押されていなければ、ＩＳＯ値の最小は「２００」、最大は「１６００」となる。
【００６０】
図８，９のＩＳＯ設定処理の説明に戻って、ステップＳ３１０では、設定ＩＳＯ値が「１６００」より大きいか否かを判別する。設定ＩＳＯ値が「１６００」より大きければ、ステップＳ３１１に移行し、図１１（ｂ）に示したようなＩＳＯ設定表示を上面表示パネル１０４上で行い、図７のサブルーチンにリターンする。設定ＩＳＯ値が「１６００」より大きくなければ、ステップＳ３１２へ移行する。
【００６１】
ステップＳ３１２では、設定ＩＳＯ値が「２００」より小さいか否かを判別する。設定ＩＳＯ値が「２００」より小さければ、ステップＳ３１３に移行し、図１１（ｃ）に示したようなＩＳＯ設定表示を上面表示パネル１０４上で行い、図７のサブルーチンにリターンする。設定ＩＳＯ値が「２００」より小さくなければ、ステップＳ３１４へ移行する。
【００６２】
ステップＳ３１４では、図１１（ａ）に示したようなＩＳＯ設定表示を上面表示パネル１０４上で行い、図７のサブルーチンにリターンする。
【００６３】
上記の説明から明らかなように、本実施形態では、アシストボタン１３１を操作しない場合は、ＩＳＯ設定範囲をＩＳＯ１６０〜２０００とし、アシストボタン１３１を操作した場合は、ＩＳＯ設定範囲をＩＳＯ２００〜１６００としている。
【００６４】
そして、ＩＳＯ２００〜１６００の範囲を、安定した画像が得られる常用のＩＳＯ範囲と定義し、メイン電子ダイヤル１０６の回転操作により常用のＩＳＯ範囲のＩＳＯ値が設定された場合は、図１１（ａ）に示したように、通常の表示形態で設定ＩＳＯ値が表示される。
【００６５】
一方、それ以外の範囲（１６０≦ＩＳＯ＜２００，１６００＜ＩＳＯ≦２０００）を、安定した画像が得られない拡張範囲と定義して、メイン電子ダイヤル１０６の回転操作により拡張されたＩＳＯ範囲のＩＳＯ値が設定された場合は、例えば図１１（ｂ），（ｃ）に示した「Ｈ」、「Ｌ」のような警告表示が行われる。なお、図１１（ｂ），（ｃ）の表示例では、拡張範囲のＩＳＯ値それ自体は表示されていないが、この拡張範囲のＩＳＯ値それ自体を「Ｈ」、「Ｌ」のような警告メッセージと共に表示することも可能である。
【００６６】
このように、常用のＩＳＯ範囲、拡張されたＩＳＯ範囲のいずれの範囲においても、１つのメイン電子ダイヤル１０６の操作によりＩＳＯ値を設定することができ、簡単にＩＳＯ値を設定することが可能となる。
【００６７】
なお、拡張範囲のＩＳＯ値を設定する場合は、ＡＦモード選択ボタン１０２、測光モード選択ボタン１０３を押下すると共にアシストボタン１３１を押下して、メイン電子ダイヤル１０６を回転させる必要があるが、ＡＦモード選択ボタン１０２、測光モード選択ボタン１０３、アシストボタン１３１に係るスイッチは、これらボタンを押下する毎にサイクリックにＯＮ／ＯＦＦするスイッチとなっている。
【００６８】
従って、拡張範囲のＩＳＯ値を設定する際に、ＡＦモード選択ボタン１０２、測光モード選択ボタン１０３、アシストボタン１３１を同時に押下した状態でメイン電子ダイヤル１０６を回転させる必要はなく、ＡＦモード選択ボタン１０２、測光モード選択ボタン１０３、アシストボタン１３１を個別に押下して、これらボタンに対応するスイッチをＯＮし、後はこれらボタンから手を離してメイン電子ダイヤル１０６だけを回転操作すればよいので、操作性が損なわれることはない。
【００６９】
又、本実施例では、選択手段をボタンスイッチ（アシストボタン）としたが、ＩＳＯ増感度減感度許可モードとして、メニュー等のモードで設定可能なメモリー情報（ＲＡＭ）とすることも容易である。そうすれば、ＩＳＯ増感度減感度許可モードでない時は、ＩＳＯ設定モードでのＩＳＯ設定範囲は、実施例では２００〜１６００となり、ＩＳＯ増感度減感度許可モードの時は、１６０〜２０００となる。
【００７０】
図１２は、アシストボタン１３１に係るスイッチをＯＮした状態でメイン電子ダイヤル１０６を回転操作した場合の表示の変遷を示す図である。
【００７１】
アシストボタン１３１に係るスイッチをＯＮした状態でメイン電子ダイヤル１０６を右回転させていくと、設定ＩＳＯ値が次第に大きくなっていき、設定ＩＳＯ値が常用ＩＳＯ範囲の上限値である「１６００」より大きくなると、「Ｈ」という警告メッセージが表示される。また、アシストボタン１３１に係るスイッチをＯＮした状態でメイン電子ダイヤル１０６を左回転させていくと、設定ＩＳＯ値が次第に小さくなっていき、設定ＩＳＯ値が常用ＩＳＯ範囲の下限値である「２００」より小さくなると、「Ｌ」という警告メッセージが表示される。
【００７２】
このように、常用ＩＳＯ範囲以外の拡張ＩＳＯ範囲のＩＳＯ値が設定された旨の警告表示を行うことにより、常用ＩＳＯ範囲、拡張ＩＳＯ範囲のいずれの範囲においても、１つのメイン電子ダイヤル１０６の操作によりＩＳＯ値を設定するようにしても、ユーザが意図しない常用ＩＳＯ範囲外のＩＳＯ値が不用意に設定されてしまうのを防止している。
【００７３】
なお、本発明は、上記の実施形態に限定されることなく、例えば、ＩＳＯ値が常用範囲外に設定された場合の警告は、例えば、常用範囲外の設定ＩＳＯ値を点滅表示する、或いは常用範囲の場合とは異なる色で常用範囲外の設定ＩＳＯ値を表示する、或いは警告表示ではなく警告音を発するなど、他の形態で警告を発するようにしてもよい。
【００７４】
また、ＩＳＯ値の設定範囲は、３つ以上の範囲とすることも可能である。この場合のＩＳＯ値の設定範囲の選択方法としては、例えば、アシストボタン１３１を押下しない場合は、常用範囲が選択されたものとし、アシストボタン１３１が１回だけ押下された場合は、第１の他の範囲が選択されたものとし、アシストボタン１３１が連続して２回押下された場合は、第２の他の範囲が選択されたものとするといったように、アシストボタン１３１の操作態様によりＩＳＯ値の設定範囲を選択処理すればよい。
【００７５】
【発明の効果】
以上説明したように、本発明によれば、ＩＳＯ値を常用範囲の内外を問わず簡単に設定することが可能となる。
【図面の簡単な説明】
【図１】本発明を適用したデジタルカメラの概略構成を示すブロック図である。
【図２】上記デジタルカメラの上面図である。
【図３】上記デジタルカメラの背面図である。
【図４】上記デジタルカメラの動作概要を示すフローチャートである。
【図５】設定モード処理を示すフローチャートである。
【図６】図５の続きのフローチャートである。
【図７】測光モード選択ボタン関連処理を示すフローチャートである。
【図８】ＩＳＯ設定処理を示すフローチャートである。
【図９】図８の続きのフローチャートである。
【図１０】ＩＳＯ値の最大／最小処理を示すフローチャートである。
【図１１】ＩＳＯ設定時の表示例を示す図である。
【図１２】拡張ＩＳＯ範囲を選択してＩＳＯ設定操作を行う場合の表示の変遷を示す図である。
【符号の説明】
１：システム制御部
１ａ：ＣＰＵ
１ｂ：ＲＯＭ
１ｃ：ＲＡＭ
１４：液晶表示制御部
１６：操作制御部
１０２：ＡＦモード選択ボタン
１０３：測光モード選択ボタン
１０４：上面表示パネル
１０６：メイン電子ダイヤル
１３１：アシストボタン
【図１】
0003969997.tif 000002
【図２】
0003969997.tif 000003
【図３】
0003969997.tif 000004
【図４】
0003969997.tif 000005
【図５】
0003969997.tif 000006
【図６】
0003969997.tif 000007
【図７】
0003969997.tif 000008
【図８】
0003969997.tif 000009
【図９】
0003969997.tif 000010
【図１０】
0003969997.tif 000011
【図１１】
0003969997.tif 000012
【図１２】
0003969997.tif 000013